【手続補正書】
【提出日】平成19年7月30日(2007.7.30)
【手続補正１】
【補正対象書類名】明細書
【補正対象項目名】特許請求の範囲
【補正方法】変更
【補正の内容】
【特許請求の範囲】
【請求項１】  出力ライン上に制御信号を発生するためのタッチ・スイッチ装置であって、
第１の電極と該第１電極のすぐ近くの第２電極を含むタッチ・パッドと、
前記第１電極に電気的につながれた第１の抵抗と、
前記第２電極に電気的につながれた第２の抵抗と、
前記タッチ・パッドのすぐ近くのコントロール回路とを含み、
前記コントロール回路は、前記第１および第２の抵抗へ電気的につながれ、
前記コントロール回路は、遠隔信号ソースから入力信号を受け取るための入力ノードを有し、
前記タッチ・パッドはフィールド発生信号を受け取るように構成されたものであって、
前記フィールド発生信号は、前記タッチ・パッドの周りに電界を発生させ、
前記コントロール回路は、前記電界に影響する刺激に応答し、
前記コントロール回路は、前記電界に影響する前記刺激に応答して、制御信号を選択的に発生するように構成され、
前記コントロール回路は、前記出力ライン上で前記制御信号を遠隔装置へ送信する出力ノードを有するものであって、
前記第１および第２の抵抗の各々が有する値は、前記第１および第２の電極の少なくとも１つのすぐ近くの汚染物質のインピーダンスに比べて相対的に低い入力インピーダンスを前記装置が有するような値である、前記タッチ・スイッチ装置。
【請求項２】  出力ライン上に制御信号を発生するためのタッチ・スイッチ装置であって、
第１の電極と該第１電極のすぐ近くの第２電極を含むタッチ・パッドと、
前記タッチ・パッドのすぐ近くのコントロール回路とを含み、
前記コントロール回路は前記タッチ・パッドに電気的につながれ、
前記コントロール回路は、遠隔信号ソースから入力信号を受け取るための入力ノードを有し、
前記タッチ・パッドはフィールド発生信号を受け取るように構成されたものであって、
前記フィールド発生信号は、前記タッチ・パッドの周りに電界を発生させ、
前記コントロール回路は、前記電界に影響する刺激に応答し、
前記コントロール回路は、前記電界に影響する前記刺激に応答して、制御信号を選択的に発生するように構成され、
前記コントロール回路は、前記出力ライン上で前記制御信号を遠隔装置へ送信する出力ノードを有するものであって、
前記第１電極の近くの前記電界と実質的に同等またはそれ以上の範囲にまで前記第２電極の近くの前記電界が妨害されたときに、前記出力ライン上の前記制御信号の電圧が最小値である、前記タッチ・スイッチ装置。
【請求項３】  出力ライン上に制御信号を発生するためのタッチ・スイッチ装置であって、
第１の電極と該第１電極のすぐ近くの第２電極を含むタッチ・パッドと、
前記タッチ・パッドのすぐ近くのコントロール回路とを含み、
前記コントロール回路は前記タッチ・パッドに電気的につながれ、
前記コントロール回路は、遠隔信号ソースから入力信号を受け取るための入力ノードを有し、
前記タッチ・パッドはフィールド発生信号を受け取るように構成されたものであって、
前記フィールド発生信号は、前記タッチ・パッドの周りに電界を発生させ、
前記コントロール回路は、前記電界に影響する刺激に応答し、
前記コントロール回路は、前記電界に影響する前記刺激に応答して、制御信号を選択的に発生するように構成され、
前記コントロール回路は、前記出力ライン上で前記制御信号を遠隔装置へ送信する出力ノードを有するものであって、
前記第１電極の近くの前記電界と実質的に同等またはそれ以上の範囲にまで前記第２電極の近くの前記電界が妨害されたときに、前記出力ライン上の前記制御信号の電圧が最大値である、前記タッチ・スイッチ装置。
【請求項４】  出力ライン上に制御信号を発生するためのタッチ・スイッチ装置であって、
第１の電極および該第１電極のすぐ近くの第２電極を含むタッチ・パッドと、
前記タッチ・パッドのすぐ近くのコントロール回路とを含み、
前記コントロール回路は前記タッチ・パッドに電気的につながれ、
前記コントロール回路は、遠隔信号ソースから入力信号を受け取るための入力ノードを有し、
前記タッチ・パッドはフィールド発生信号を受け取るように構成されたものであって、
前記フィールド発生信号は、前記タッチ・パッドの周りに電界を発生させ、
前記コントロール回路は、前記電界に影響する刺激に応答し、
前記コントロール回路は、前記電界に影響する前記刺激に応答して、制御信号を選択的に発生するように構成され、
前記コントロール回路は、前記出力ライン上で前記制御信号を遠隔装置へ送信する出力ノードを有するものであって、
前記第２電極の周りの前記電界よりも実質的に大きな範囲にまで前記第１電極の周りの前記電界が妨害されたときに、前記出力ライン上の前記制御信号の電圧が最大値である、前記タッチ・スイッチ装置。
【請求項５】  出力ライン上に制御信号を発生するためのタッチ・スイッチ装置であって、
第１の電極および該第１電極のすぐ近くの第２電極を含むタッチ・パッドと、
前記タッチ・パッドのすぐ近くのコントロール回路とを含み、
前記コントロール回路は前記タッチ・パッドに電気的につながれ、
前記コントロール回路は、遠隔信号ソースから入力信号を受け取るための入力ノードを有し、
前記タッチ・パッドはフィールド発生信号を受け取るように構成されたものであって、
前記フィールド発生信号は、前記タッチ・パッドの周りに電界を発生させ、
前記コントロール回路は、前記電界に影響する刺激に応答し、
前記コントロール回路は、前記電界に影響する前記刺激に応答して、制御信号を選択的に発生するように構成され、
前記コントロール回路は、前記出力ライン上で前記制御信号を遠隔装置へ送信する出力ノードを有するものであって、
前記第２電極の周りの前記電界よりも実質的に大きな範囲にまで前記第１電極の周りの前記電界が妨害されたときに、前記出力ライン上の前記制御信号の電圧が最小値である、前記タッチ・スイッチ装置。
【請求項６】  人間の接近に応答して被制御のデバイスを制御するように調整された電気的スイッチ装置であって、
タッチ・パッドと、
前記タッチ・パッドにつながれた集積回路であって、前記集積回路がスタートアップおよびバイアス部、パルス発生器および論理部、決定部、およびセルフ・ホールディング・ラッチ部を含む前記集積回路と、
前記集積回路につながれたコントロール・ラインであって、更に前記被制御のデバイスにつながれた前記コントロール・ラインとを含み、
前記集積回路と前記被制御のデバイスの間の距離が、前記集積回路と前記タッチ・パッドの間の距離よりも実質的に大きい前記電気的スイッチ装置。
【請求項７】  前記タッチ・パッド、前記パルス発生器および論理部、および前記決定部につながれた少なくとも１つの第１能動素子を更に含む請求項６記載の装置。
【請求項８】  前記タッチ・パッドが少なくとも１つの第１電極を含み、前記第１能動素子が前記第１電極、前記パルス発生器および論理部、および前記決定部につながれている請求項７記載の装置。
【請求項９】  １つの第２電極を更に含み、前記第２能動素子が前記第２電極、前記パルス発生器および論理部、および前記決定部につながれている請求項８記載の装置。
【請求項１０】  前記タッチ・パッドが１つの第２電極を更に含み、前記第２能動素子が前記第２電極、前記パルス発生器および論理部、および前記決定部につながれている請求項８記載の装置。
【請求項１１】  前記コントロール・ラインが前記決定部へつながれている請求項６記載の装置。
【請求項１２】  前記コントロール・ラインが前記セルフ・ホールディング・ラッチ部へつながれている請求項６記載の装置。
【請求項１３】  人間の近接に応答して被制御のデバイスを制御するように調整された電気的スイッチ装置であって、
第１電極と、
第２電極と、
前記第１電極および前記第２電極につながれた集積回路であって、スタートアップおよびバイアス部、パルス発生器および論理部、決定部、およびセルフ・ホールディング・ラッチ部を含む前記集積回路と、
前記集積回路につながれたコントロール・ラインであって、更に前記被制御のデバイスにつながれた前記コントロール・ラインとを含み、
前記コントロール・ラインの長さが、前記集積回路と前記タッチ・パッドの間の距離よりも実質的に大きい前記電気的スイッチ装置。
【請求項１４】  第１電極を更に含み、前記第１能動素子が前記第１電極、前記パルス発生器および論理部、および前記決定部につながれている請求項１３記載の装置。
【請求項１５】  第２電極を更に含み、前記第２能動素子が前記第２電極、前記パルス発生器および論理部、および前記決定部につながれている請求項１４記載の装置。
【請求項１６】  前記コントロール・ラインが前記決定部へつながれている請求項１３記載の装置。
【請求項１７】  前記コントロール・ラインが前記セルフ・ホールディング・ラッチ部へつながれている請求項１３記載の装置。
【請求項１８】  第１電極と、
第２電極と、
信号ソースと、
コントロール回路とを含む電子センサー装置であって、
前記コントロール回路は、
第１入力チャネルと第２入力チャネルを有する入力部、
第１入力、第２入力、および出力を有する決定部、
および出力部を含み、
前記第１入力チャネルは前記信号ソース、前記第１電極、および前記決定回路の第１入力へつながれ、前記第１入力チャネルは少なくとも１つの第１入力チャネル電気的構成要素を含み、
前記第２入力チャネルは前記信号ソース、前記第２電極、および前記決定回路の第２入力へつながれ、前記第２入力チャネルは少なくとも１つの第２入力チャネル電気的構成要素を含み、前記第２入力チャネル電気的構成要素の各々は、前記第１入力チャネル電気的構成要素の１つに対応し、
そして前記決定部の前記出力は前記出力部へつながれ、
前記第２入力チャネル電気的構成要素の各々は、対応する前記第１入力チャネル電気的構成要素の１つに電気的に整合されている、前記電子センサー装置。
【請求項１９】  前記第１入力チャネル電気的構成要素の第１のものは、入力ターミナル、出力ターミナルおよび制御ターミナルを有する第１トランジスタを含み、前記第１トランジスタの前記入力ターミナルは、前記信号ソースおよび前記第１電極へつながれ、前記第１トランジスタの前記出力ターミナルは、前記決定部の前記第１入力へつながれ、また、
前記第２入力チャネル電気的構成要素の第１のものは、入力ターミナル、出力ターミナルおよび制御ターミナルを有する第２トランジスタを含み、前記第２トランジスタの前記入力ターミナルは、前記信号ソースおよび前記第２電極へつながれ、前記第２トランジスタの前記出力ターミナルは、前記決定部の前記第２入力へつながれている請求項１８記載の装置。
【請求項２０】  前記第１入力チャネルは更に第１ピーク検出器回路を含む請求項１９記載の装置。
【請求項２１】  前記第１ピーク検出器回路は、前記第１トランジスタの前記出力回路および前記決定部の前記第１入力へつながれた第１整流器、および前記第１整流器および前記決定部の前記第１入力へつながれた第１キャパシターを含む、請求項２０記載の装置。
【請求項２２】  前記第１整流器が第１ダイオードを含む請求項２１記載の装置。
【請求項２３】  前記第１ピーク検出器回路は、前記第１トランジスタの前記出力ターミナルおよび前記決定部の前記第１入力へつながれた第３トランジスタ、および前記第３トランジスタおよび前記決定部の前記第１入力へつながれた第１キャパシターを含む、請求項２０記載の装置。
【請求項２４】  前記第２入力チャネルは更に第２ピーク検出器回路を含む請求項２０記載の装置。
【請求項２５】  前記第１ピーク検出器回路は、前記第１トランジスタの前記出力ターミナルおよび前記決定部の前記第１入力へつながれた第１整流器、および前記第１整流器および前記決定部の前記第１入力へつながれた第１キャパシターを含み、前記第２ピーク検出器回路は、前記第２トランジスタの前記出力ターミナルおよび前記決定部の前記第２入力へつながれた第２整流器、および前記第２整流器および前記決定部の前記第２入力へつながれた第２キャパシターを含む、請求項２４記載の装置。
【請求項２６】  前記第１整流器と前記第２整流器のうちの少なくとも１がダイオードを含む請求項２５記載の装置。
【請求項２７】  前記第１ピーク検出器回路は、前記第１トランジスタの前記出力ターミナルおよび前記決定部の前記第１入力へつながれた第３トランジスタ、および前記第３トランジスタおよび前記決定部の前記第１入力へつながれた第１キャパシターを含み、前記第２ピーク検出器回路は、前記第２トランジスタの前記出力ターミナルおよび前記決定部の前記第２入力へつながれた第４トランジスタ、および前記第４トランジスタおよび前記決定部の前記第２入力へつながれた第２キャパシターを含む、請求項２４記載の装置。
【請求項２８】  前記出力部が出力ラインを含む請求項１８記載の装置。
【請求項２９】  前記出力ラインが被制御のデバイスへつながれている請求項２８記載の装置。
【請求項３０】  前記出力部がドライブ・トランジスタを含む請求項１８記載の装置。
【請求項３１】  前記ドライブ・トランジスタが入力ターミナル、出力ターミナル、および制御ターミナルを含み、前記決定回路の前記出力が前記ドライブ・トランジスタの前記制御ターミナルにつながれている請求項３０記載の装置。
【請求項３２】  前記ドライブ・トランジスタの前記出力ターミナルが被制御のデバイスへつながれている請求項３１記載の装置。
【請求項３３】  前記出力部がラッチを含む請求項１８記載の装置。
【請求項３４】  前記ラッチがセルフ・ホールディング・ラッチを含む請求項３３記載の装置。
【請求項３５】  前記ラッチが被制御のデバイスへつながれている請求項３４記載の装置。
【請求項３６】  前記コントロール回路が集積回路上に実施されている請求項１８記載の装置。
【請求項３７】  前記第１電極および前記第２電極の内の少なくとも１つの近くに、前記集積回路がある請求項３６記載の装置。
【請求項３８】  前記信号ソースが周期的出力信号を供給する請求項１８記載の装置。
【請求項３９】  前記信号ソースが発振器を含む請求項１８記載の装置。
【請求項４０】  前記信号ソースおよび前記第１電極につながれた第１抵抗を更に含む請求項１８記載の装置。
【請求項４１】  前記信号ソースおよび前記第２電極につながれた第２抵抗を更に含む請求項４０記載の装置。
【請求項４２】  前記信号ソース、前記第１電極、および前記第１トランジスタにつながれた第１抵抗を更に含む請求項１９記載の装置。
【請求項４３】  前記信号ソース、前記第２電極、および前記第２トランジスタにつながれた第２抵抗を更に含む請求項４２記載の装置。
【請求項４４】  前記第１電極と前記第２電極の内の少なくとも１つに、前記信号ソースが電気信号を供給する請求項１８記載の装置。
【請求項４５】  前記第２電極が更に基準電圧へつながれている請求項１８記載の装置。
【請求項４６】  前記基準電圧が接地である請求項４５記載の装置。
【請求項４７】  第１電極、
信号ソース、
およびコントロール回路を含む電子センサー装置であって、
前記コントロール回路は、
第１入力チャネルと第２入力チャネルを有する入力部、
第１入力、第２入力、および出力を有する決定部、
および出力部を含み、
前記第１入力チャネルは前記信号ソース、前記第１電極、および前記決定回路の第１入力へつながれ、前記第１入力チャネルは少なくとも１つの第１入力チャネル電気的構成要素を含み、
前記第２入力チャネルは前記信号ソースおよび前記決定回路の前記第２入力へつながれ、前記第２入力チャネルは少なくとも１つの第２入力チャネル電気的構成要素を含み、前記第２入力チャネル電気的構成要素の各々は、前記第１入力チャネル電気的構成要素の１つに対応し、
そして前記決定部の前記出力は前記出力部へつながれ、
前記第２入力チャネル電気的構成要素の各々は、対応する前記第１入力チャネル電気的構成要素の１つに電気的に整合されている、前記電子センサー装置。
【請求項４８】  前記第１入力チャネル電気的構成要素の第１のものは、入力ターミナル、出力ターミナルおよび制御ターミナルを有する第１トランジスタを含み、前記第１トランジスタの前記入力ターミナルは、前記信号ソースおよび前記第１電極へつながれ、前記第１トランジスタの前記出力ターミナルは、前記決定部の前記第１入力へつながれ、また、
前記第２入力チャネル電気的構成要素の第１のものは、入力ターミナル、出力ターミナルおよび制御ターミナルを有する第２トランジスタを含み、前記第２トランジスタの前記入力ターミナルは、前記信号ソースへつながれ、前記第２トランジスタの前記出力ターミナルは、前記決定部の前記第２入力へつながれている請求項４７記載の装置。
【請求項４９】  前記第１入力チャネルは更に第１ピーク検出器回路を含む請求項４８記載の装置。
【請求項５０】  前記第１ピーク検出器回路は、前記第１トランジスタの前記出力ターミナルおよび前記決定部の前記第１入力へつながれた第１整流器、および前記第１整流器および前記決定部の前記第１入力へつながれた第１キャパシターを含む、請求項４９記載の装置。
【請求項５１】  前記第１整流器が第１ダイオードを含む請求項５０記載の装置。
【請求項５２】  前記第１ピーク検出器回路は、前記第１トランジスタの前記出力ターミナルおよび前記決定部の前記第１入力へつながれた第３トランジスタ、および前記第３トランジスタおよび前記決定部の前記第１入力へつながれた第１キャパシターを含む、請求項４９記載の装置。
【請求項５３】  前記第２入力チャネルは更に第２ピーク検出器回路を含む請求項４９記載の装置。
【請求項５４】  前記第１ピーク検出器回路は、前記第１トランジスタの前記出力ターミナルおよび前記決定部の前記第１入力へつながれた第１整流器、および前記第１整流器および前記決定部の前記第１入力へつながれた第１キャパシターを含み、前記第２ピーク検出器回路は、前記第２トランジスタの前記出力ターミナルおよび前記決定部の前記第２入力へつながれた第２整流器、および前記第２整流器および前記決定部の前記第２入力へつながれた第２キャパシターを含む、請求項５３記載の装置。
【請求項５５】  前記第１整流器と前記第２整流器のうちの少なくとも１がダイオードを含む請求項５４記載の装置。
【請求項５６】  前記第１ピーク検出器回路は、前記第１トランジスタの前記出力ターミナルおよび前記決定部の前記第１入力へつながれた第３トランジスタ、および前記第３トランジスタおよび前記決定部の前記第１入力へつながれた第１キャパシターを含み、前記第２ピーク検出器回路は、前記第２トランジスタの前記出力ターミナルおよび前記決定部の前記第２入力へつながれた第４トランジスタ、および前記第４トランジスタおよび前記決定部の前記第２入力へつながれた第２キャパシターを含む、請求項５３記載の装置。
【請求項５７】  前記出力部が出力ラインを含む請求項４７記載の装置。
【請求項５８】  前記出力ラインが被制御のデバイスへつながれている請求項５７記載の装置。
【請求項５９】  前記出力部がドライブ・トランジスタを含む請求項４７記載の装置。
【請求項６０】  前記ドライブ・トランジスタが入力ターミナル、出力ターミナル、および制御ターミナルを含み、前記決定回路の前記出力が前記ドライブ・トランジスタの前記制御ターミナルにつながれている請求項５９記載の装置。
【請求項６１】  前記ドライブ・トランジスタの前記出力ターミナルが被制御のデバイスへつながれている請求項６０記載の装置。
【請求項６２】  前記出力部がラッチを含む請求項４７記載の装置。
【請求項６３】  前記ラッチがセルフ・ホールディング・ラッチを含む請求項６２記載の装置。
【請求項６４】  前記ラッチが被制御のデバイスへつながれている請求項６３記載の装置。
【請求項６５】  前記コントロール回路が集積回路上に実施されている請求項４７記載の装置。
【請求項６６】  前記第１電極の近くに前記集積回路がある請求項６５記載の装置。
【請求項６７】  前記信号ソースが周期的出力信号を供給する請求項４７記載の装置。
【請求項６８】  前記信号ソースが発振器を含む請求項４７記載の装置。
【請求項６９】  前記信号ソースおよび前記第１電極につながれた第１抵抗を更に含む請求項４７記載の装置。
【請求項７０】  前記信号ソース、前記第１電極および前記第１トランジスタにつながれた第１抵抗を更に含む請求項４８記載の装置。
【請求項７１】  前記第１電極に前記信号ソースが電気信号を供給する請求項４７記載の装置。
【請求項７２】  複数の電子センサー装置を含むパネルであって、前記センサー装置の各々は、
少なくとも１つの第１電極を含むタッチ・パッド、および
集積回路上に配置されたコントロール回路を含み、前記コントロール回路は、
信号ソース、
第１入力チャネルおよび第２入力チャネルを含む入力部、
第１入力、第２入力、および出力を有する決定部、および
出力部を含み、
信号ソースは前記タッチ・パッドへつながれ、
前記第１入力チャネルは前記信号ソース、前記第１電極および前記決定部の前記第１入力へつながれ、
前記第２入力チャネルは前記信号ソース、前記第２電極および前記決定部の前記第２入力へつながれ、
前記決定部の前記出力は前記出力部へつながれている、前記パネル。
【請求項７３】  前記出力部がラッチを含む請求項７２記載のパネル。
【請求項７４】  前記ラッチが被制御のデバイスへつながれている請求項７３記載のパネル。
【請求項７５】  前記出力部がドライブ・トランジスタを含む請求項７２記載のパネル。
【請求項７６】  前記ドライブ・トランジスタが被制御のデバイスにつながれた請求項７５記載のパネル。
【請求項７７】  前記出力部が出力ラインを含む請求項７２記載のパネル。
【請求項７８】  前記出力ラインが被制御のデバイスにつながれた請求項７７記載のパネル。
【請求項７９】  前記信号ソースが発振器である請求項７２記載のパネル。
【請求項８０】  前記電子センサー装置の各々が更に第２電極を含み、前記第２入力チャネルが更に前記第２電極へつながれた請求項７２記載のパネル。
【請求項８１】  前記出力部がラッチを含む請求項８０記載のパネル。
【請求項８２】  前記ラッチが被制御のデバイスへつながれている請求項８１記載のパネル。
【請求項８３】  前記出力部がドライブ・トランジスタを含む請求項８０記載のパネル。
【請求項８４】  前記ドライブ・トランジスタが被制御のデバイスにつながれた請求項８３記載のパネル。
【請求項８５】  前記出力部が出力ラインを含む請求項８０記載のパネル。
【請求項８６】  前記出力ラインが被制御のデバイスにつながれた請求項８５記載のパネル。
【請求項８７】  前記信号ソースが発振器である請求項８０記載のパネル。